(57)【特許請求の範囲】
【請求項１】
複数の地域分散型遠隔トランシーバとの複数の有線接続を確立するよう構成されるインターフェースと、
前記インターフェースに結合されるプロセッサと
を有し、
前記複数の遠隔トランシーバの夫々の遠隔トランシーバは、１又はそれ以上の物理アンテナポートを有し、
前記プロセッサは、
前記複数の遠隔トランシーバを、該複数の遠隔トランシーバの１又はそれ以上を夫々有する複数のセットに割り当て、
夫々のセットの１又はそれ以上の遠隔トランシーバの夫々の少なくとも１つの物理アンテナポートに対応する前記複数のセットの夫々のセットに夫々割り当てられる１又はそれ以上の論理ポートを前記複数のセットの夫々のセットに割り当て、
前記複数のセットのうち少なくとも２つのセットの夫々のセットについての信号品質を示す信号品質フィードバックをエンドポイントから受け取り、
前記複数のセットから、前記エンドポイントから受け取った前記信号品質フィードバックに基づき、基地局から前記エンドポイントへデータトラフィックを送信するために使用する第１のセットを選択する
よう構成され、
前記インターフェースは、さらに、前記複数のセットのうち第１のセットの１又はそれ以上の遠隔トランシーバの夫々の少なくとも１つの物理アンテナポートと前記エンドポイントとの間の少なくとも１つの無線接続を用いて当該基地局から前記エンドポイントへデータトラフィックを送信するよう構成され、
前記プロセッサは、さらに、
前記エンドポイントから受け取った前記信号品質フィードバックに基づき、前記複数の遠隔トランシーバの夫々に対する前記エンドポイントの相対的位置を決定し、
前記決定された相対的位置に基づき前記エンドポイントから前記複数の遠隔トランシーバの夫々までの距離に応じて前記複数のセットから選択された特定のサブセットに関して前記エンドポイントが信号品質フィードバックを供給することを要求するリクエストを送信する
よう構成される、基地局。
【請求項２】
前記プロセッサは、さらに、前記エンドポイントから受け取った前記信号品質フィードバックに基づきビームステアリングベクトルをチューニングするよう構成され、
前記ビームステアリングベクトルは、前記少なくとも１つの無線接続のカバレッジスループット又は前記第１のセットのカバレッジスループットのうち少なくとも１つを改善するようチューニングされる、
請求項１に記載の基地局。
【請求項３】
前記プロセッサは、さらに、前記複数の遠隔トランシーバを１又はそれ以上の異なるセットに再配置するよう構成される、
請求項１に記載の基地局。
【請求項４】
前記複数のセットのうち特定のセットの各物理アンテナポートは、前記複数のセットのうち他のセットの夫々によって使用される１又はそれ以上の無線信号に対して直交する無線信号を送信する、
請求項１に記載の基地局。
【請求項５】
基地局と、１又はそれ以上の物理アンテナポートを夫々有する複数の地域分散型遠隔トランシーバとの間の複数の有線接続を確立し、
複数のセットのうち少なくとも１つのセットが少なくとも２つの遠隔トランシーバを有するよう、前記複数の遠隔トランシーバを、該複数の遠隔トランシーバのうち１又はそれ以上を夫々有する複数のセットに割り当て、
夫々のセットの１又はそれ以上の遠隔トランシーバの夫々の少なくとも１つの物理アンテナポートに対応する前記複数のセットの夫々のセットに夫々割り当てられる１又はそれ以上の論理ポートを前記複数のセットの夫々のセットに割り当て、
前記複数のセットのうち第１のセットの１又はそれ以上の遠隔トランシーバの夫々の少なくとも１つの物理アンテナポートとエンドポイントとの間の少なくとも１つの無線接続を用いて前記基地局から前記エンドポイントへデータトラフィックを送信し、
前記エンドポイントから信号品質フィードバックを受け取り、
前記エンドポイントから受け取った前記信号品質フィードバックに基づき、前記複数の遠隔トランシーバの夫々に対する前記エンドポイントの相対的位置を決定し、
前記決定された相対的位置に基づき前記エンドポイントから前記複数の遠隔トランシーバの夫々までの距離に応じて前記複数のセットから選択された特定のサブセットに関して前記エンドポイントが信号品質フィードバックを供給することを要求するリクエストを送信する
方法。
【請求項６】
前記複数のセットのうち前記第１のセットに割り当てられる１又はそれ以上の論理ポートのうち少なくとも１つは、前記第１のセットの１又はそれ以上の遠隔トランシーバの各遠隔トランシーバの少なくとも１つの物理アンテナポートに対応する、
請求項５に記載の方法。
【請求項７】
さらに、前記エンドポイントから受け取った前記信号品質フィードバックに基づきビームステアリングベクトルをチューニングし、
前記ビームステアリングベクトルは、前記少なくとも１つの無線接続のカバレッジスループット又は前記第１のセットのカバレッジスループットのうち少なくとも１つを改善するようチューニングされる、
請求項５に記載の方法。
【請求項８】
前記複数のセットの各セットは、前記複数のセットのうち他のセットの夫々によって使用される無線信号に対して直交する無線信号を使用する、
請求項５に記載の方法。
【請求項９】
前記第１のセットによって使用される無線信号は、前記第１のセットの１又はそれ以上の論理ポートの各物理アンテナポートによって送信される、
請求項８に記載の方法。
【請求項１０】
前記基地局及び前記複数の遠隔トランシーバは、共通のセルにおいて置かれ、共通のセル識別子を共有する、
請求項５に記載の方法。
【請求項１１】
さらに、前記複数の遠隔トランシーバを１又はそれ以上の異なるセットに再配置する、
請求項５に記載の方法。
【請求項１２】
プロセッサによって実行される場合に、
基地局と、１又はそれ以上の物理アンテナポートを夫々有する複数の地域分散型遠隔トランシーバとの間の複数の有線接続を確立し、
前記複数の遠隔トランシーバを、該複数の遠隔トランシーバのうち１又はそれ以上を夫々有する複数のセットに割り当て、
夫々のセットの１又はそれ以上の遠隔トランシーバの夫々の少なくとも１つの物理アンテナポートに対応する前記複数のセットの夫々のセットに夫々割り当てられる１又はそれ以上の論理ポートを前記複数のセットの夫々のセットに割り当て、
前記複数のセットのうち第１のセットの１又はそれ以上の遠隔トランシーバの夫々の少なくとも１つの物理アンテナポートとエンドポイントとの間の少なくとも１つの無線接続を用いて前記基地局から前記エンドポイントへデータトラフィックを送信し、
前記エンドポイントから信号品質フィードバックを受け取り、
前記エンドポイントから受け取った前記信号品質フィードバックに基づき、前記複数の遠隔トランシーバの夫々に対する前記エンドポイントの相対的位置を決定し、
前記決定された相対的位置に基づき前記エンドポイントから前記複数の遠隔トランシーバの夫々までの距離に応じて前記複数のセットから選択された特定のサブセットに関して前記エンドポイントが信号品質フィードバックを供給することを要求するリクエストを送信する
よう構成されるロジックを有する１又はそれ以上の持続性のコンピュータ読取可能な記憶媒体。
【請求項１３】
前記ロジックは、さらに、前記エンドポイントから受け取った前記信号品質フィードバックに基づきビームステアリングベクトルをチューニングするよう構成され、
前記ビームステアリングベクトルは、前記少なくとも１つの無線接続のカバレッジスループット又は前記第１のセットのカバレッジスループットのうち少なくとも１つを改善するようチューニングされる、
請求項１２に記載の記憶媒体。
【請求項１４】
前記基地局及び前記複数の遠隔トランシーバは、同じセルに置かれ、共通のセル識別子を共有する、
請求項１２に記載の記憶媒体。
【請求項１５】
前記ロジックは、さらに、前記複数の遠隔トランシーバを１又はそれ以上の異なるセットに再配置するよう構成される、
請求項１２に記載の記憶媒体。
【発明の詳細な説明】
【技術分野】
【０００１】
本発明は、概して、分散型アンテナシステムのためのトランシーバセット割り当てスキームのための方法及び装置に係る。
【背景技術】
【０００２】
分散型アンテナシステムは、基地局（無線要素コントロール（Radio  Element  Control）又はベースバンドユニット（Baseband  Unit）としても知られる。）と、１又はそれ以上の遠隔トランシーバ（無線要素（Radio  Element）又は遠隔ラジオヘッド（Remote  Radio  Heads）としても知られる。）とを含む。それらの構成要素は、エンドポイントに無線ネットワークアクセスを提供する。分散型アンテナシステム内で、遠隔トランシーバは、有線接続（例えば、光ファイバ）を介して基地局に接続されている間、異なる場所の間で分散される。各遠隔トランシーバ（又はそのサブセット）は、本質的に同じコアデータを送信し、エンドポイントは、複数の遠隔トランシーバからの複数の信号を単一通信にまとめる。基地局は、基地局とエンドポイントとの間の送信を助けるよう遠隔トランシーバと通信してよい。例えば、遠隔トランシーバは、基地局と１又はそれ以上のエンドポイントとの間で制御情報及び／又はデータを中継してよい。
【０００３】
分散型アンテナシステムは、ダウンリンク協調マルチポイントプロセッシング（downlink  coordinated  multi-point  processing）（ＤＬ  ＣｏＭＰ）を実施してよい。ＤＬＣｏＭＰは、特別なタイプの多入力多出力（multiple-input  and  multiple-output）（ＭＩＭＯ）送信であり、複数の送信用アンテナは異なる位置に（基地局又は遠隔トランシーバのいずれか一方に）置かれ、一方、受信用アンテナはエンドポイントに置かれる。異なる場所にある複数の物理アンテナから（異なる基地局から又は異なる遠隔トランシーバから）同じエンドポイントへの、同じ物理リソースブロック（physical  resource  block）（ＰＲＢ）を用いる送信は、送信側の基地局及び／又は遠隔トランシーバによって協調される。
【発明の概要】
【発明が解決しようとする課題】
【０００４】
本発明の目的は、分散型アンテナシステムにおけるトランシーバ割り当てのための基地局、方法及び記憶媒体を提供することである。
【課題を解決するための手段】
【０００５】
本開示の様々な実施形態は、分散型アンテナシステムのためのトランシーバセット割り当てスキームに関する。例えば、一実施形態において、方法は、基地局と複数の地域分散型遠隔トランシーバとの間の複数の無線接続を確立する。各遠隔トランシーバは１以上の物理アンテナポートを有する。複数の遠隔トランシーバは複数のセットに割り当てられ、各セットは複数の遠隔トランシーバのうち１以上を有して成る。１以上の論理ポートは、複数のセットの各セットに割り当てられる。各セットの論理ポートの夫々は、各セットの１以上の遠隔トランシーバの少なくとも１つの物理アンテナポートに対応する。データトラフィックは、複数のセットのうち第１のセットの１以上の遠隔トランシーバの少なくとも１つの物理アンテナポートとエンドポイントとの間の少なくとも１つの無線接続を用いて基地局からエンドポイントへ送信される。
【発明の効果】
【０００６】
本発明の実施形態によれば、分散型アンテナシステムにおけるトランシーバ割り当てのための基地局、方法及び記憶媒体を提供することが可能となる。
【図面の簡単な説明】
【０００７】
【図１】単一セル内に置かれた分散型アンテナシステムにおけるセットへのトランシーバの割り当ての例を表す。
【図２】図１に表される割り当て構成のための割当表の例を表す。
【図３】図１の分散型アンテナシステムにおけるセットへのトランシーバの割り当ての代替例を表す。
【図４】図３に表される割り当て構成のための割当表の例を表す。
【図５】複数のセルに置かれた分散型アンテナシステムにおけるセットへのトランシーバの割り当ての例を表す。
【図６】例となる基地局、例となる遠隔トランシーバ、及び例となるエンドポイントを含む分散型アンテナシステムの例を表す。
【図７】図１、３及び５の分散型アンテナシステムを動作させる方法３００の例を表す。
【発明を実施するための形態】
【０００８】
本実施形態並びにそれらの特徴及び利点のより完全な理解のために、添付の図面に関連して考えられる以下の記載が参照される。
【０００９】
実施形態及びそれらの利点は、図面の図１乃至７を参照することによって最も良く理解される。同じ参照符号は、様々な図面の同じ又は対応する部分のために使用される。
【００１０】
図１は、単一セル１０４内に置かれた分散型アンテナシステム１００におけるセット１２０へのトランシーバの割り当ての例を表す。トランシーバには、基地局１０８ａ及び遠隔トランシーバ１１２がある。分散型アンテナシステム１００のトランシーバは、物理アンテナポート１１６を介して１又はそれ以上のエンドポイント１１０と通信する。トランシーバはセット１２０に割り当てられる。各セット１２０は１又はそれ以上のトランシーバを含んでよい。各セット１２０は、そのセットのトランシーバの１又はそれ以上の物理アンテナポート１１６に夫々対応する１又はそれ以上の論理ポートに割り当てられる。論理ポートが複数の物理アンテナポート１１６に対応する場合、それらの物理アンテナポート１１６の夫々は同じチャネル基準信号を測定する。各セット１２０の物理アンテナポート１１６は、他のセット１２０の物理アンテナポート１１６によって送信されるチャネル基準信号と区別可能な１又はそれ以上のチャネル基準信号を送信する。エンドポイント１１０は、それらのチャネル基準信号を測定し、対応する信号品質フィードバックを基地局１０８ａに与える。基地局１０８ａは、基地局１０８ａとエンドポイント１１０との間の通信に使用する特定のセット１２０を選択してよい。次いで、基地局１０８ａは、選択されたセット１２０の物理アンテナポート１１６の１又はそれ以上を介してエンドポイント１１０と通信する。セット１２０は、分散型アンテナシステム１００の様々な動作特性（例えば、分散型アンテナシステム１００によってサービスの提供を受けうるエンドポイントの数、又は分散型アンテナシステム１００によってサービスの提供を受けるエンドポイント１１０のスループット）をチューニングするよう再配置されてよい。
【００１１】
分散型アンテナシステム１００は、地理的エリア（例えば、セル１０４）にわたってあらゆる適切な数のエンドポイント１１０のために無線カバレッジを提供する。例えば、単一基地局（例えば、基地局１０８ａ）及び複数の遠隔トランシーバ（例えば、遠隔トランシーバ１１２）は、建物全体、街区、キャンパス、又はその他エリアのために無線カバレッジを提供するよう使用されてよい。セル１０４は、如何なる適切な形態（例えば、図１に表されるハニカム状の形態）を有してもよい。セル１０４に隣接するセルは、それらの隣接セルの境界線内にあるエンドポイント１１０にサービスを提供するよう構成される他のアンテナシステムを含んでよい。セル１０４は、セル１０４の境界線内にあるトランシーバ（すなわち、基地局１０８ａ及び遠隔トランシーバ１１２ａ〜ｆ）に割り当てられるセル識別子によって識別されてよい。セル識別子は、１又はそれ以上の番号、文字、他の識別子、あるいはそれらの組み合わせを含んでよい。セル識別子は、基地局１０８ａ及び／又は遠隔トランシーバ１１２からエンドポイント１１０への伝送の少なくとも１つのサブセットに含まれてよい。
【００１２】
基地局１０８ａは、分散型アンテナシステム１００においてパケットの有線若しくは無線による交換を可能にする任意数の通信プロトコルを実施するよう、ハードウェア、コンピュータ読取可能な媒体に組み入れられたソフトウェア、及び／又はハードウェアに組み込まれた若しくは別なふうに記憶された符号化されたロジックのあらゆる組み合わせを有してよい。基地局１０８ａは、有線接続１１１ａ〜ｆを介して遠隔トランシーバ１１２へ結合されてよい。有線接続１１１は、如何なる適切な材料（例えば、光ファイバ）を有してもよい。基地局１０８ａは、有線接続１１１を通して遠隔トランシーバ１１２と通信するよう如何なる適切な有線テクノロジ又はプロトコル（例えば、ＣＰＲＩ（Common  Public  Radio  Interface））を使用してもよい。
【００１３】
基地局１０８ａは、アンテナ１１６ａ及び１１６ｂを通る並びに／又は１若しくはそれ以上の遠隔トランシーバの１若しくはそれ以上のアンテナ１１６を通る無線通信を介して、エンドポイント１１０と通信してよい。例えば、基地局１０８ａは、エンドポイント１１０宛てのデータを、有線接続１１１を通して１又はそれ以上の遠隔トランシーバ１１２へ送信してよい。次いで、遠隔トランシーバ１１２は、そのデータを、遠隔トランシーバ１１２の１又はそれ以上の物理アンテナポート１１６とエンドポイント１１０の１又はそれ以上の物理アンテナポートとの間の１又はそれ以上の無線接続１１４を介してエンドポイント１１０へ送信する。他の例として、エンドポイント１１０からのデータは、エンドポイント１１０と１又はそれ以上の遠隔トランシーバ１１２の１又はそれ以上の物理アンテナポート１１６との間の１又はそれ以上の無線接続１１４を通して受信されてよい。次いで、このデータは、遠隔トランシーバ１１２によって１又はそれ以上の有線接続１１１を通して基地局１０８ａへ中継される。基地局１０８ａは、第３世代パートナーシッププロジェクト（３ＧＰＰ）リリース１０又はそれ以上において定義される直交周波数分割多重アクセス（orthogonal  frequency  division  multiple  access）（ＯＦＤＭＡ）及びロングタームエボリューション・アドバンスド（long  term  evolution-advanced）（ＬＴＥ−Ａ）プロトコルを含むがそれらに限定されない多種多様な無線テクノロジのいずれかを用いて、エンドポイント１１０と通信してよい。
【００１４】
表される実施形態においては図示されないが、基地局１０８ａは、サービス及びデータをエンドポイント１１０に提供するためにウェブページ、電子メール、テキストチャット、ボイスオーバーＩＰ（voice  over  IP）（ＶｏＩＰ）、及びインスタントメッセージングを通して送信される信号、データ又はメッセージを含む信号、データ及び／又はメッセージを送信することができる何らかのネットワーク又はネットワークの組み合わせにも結合されてよい。例えば、基地局１０８ａは、１又はそれ以上のＬＡＮ、ＷＡＮ、ＭＡＮ、ＰＳＴＮ、ＷｉＭＡＸネットワーク、地球規模の分散型ネットワーク（例えば、インターネット）、イントラネット、エクトラネット、又はその他形態の無線若しくは有線ネットワーキングに結合されてよい。特定の実施形態において、基地局１０８ａは、さらに、セル間のハンドオフを助け且つ他の機能を提供する基地局コントローラと通信する。
【００１５】
遠隔トランシーバ１１２は、分散型アンテナシステム１００においてエンドポイント１１０とのパケットの無線による交換を可能にする任意数の通信プロトコルを実施するよう、ハードウェア、コンピュータ読取可能な媒体に組み入れられたソフトウェア、及び／又はハードウェアに組み込まれた若しくは別なふうに記憶された符号化されたロジックのあらゆる組み合わせを有してよい。遠隔トランシーバは、ＯＦＤＭＡ及びＬＴＥ−Ａプロトコルを含むがこれらに限定されない多種多様な無線テクノロジのいずれかを用いて、エンドポイント１１０と通信してよい。遠隔トランシーバは、制御信号及びデータトラフィックをエンドポイント１１０へ送信するよう動作する。ある状況において、遠隔トランシーバ１１２は、基地局１０８ａの延長上として機能してよい。例えば、遠隔トランシーバ１１２は、エンドポイント１１０が基地局１０８ａの近くに置かれている場合に基地局１０８ａによって送信される無線信号と同じ無線信号をエンドポイント１１０へ送信してよい。
【００１６】
エンドポイント１１０は、直接的に及び／又は遠隔トランシーバ１１２を介して、基地局１０８ａとの間でデータ及び／又は信号を送受信することができる如何なるタイプの無線装置も有してよい。エンドポイント１１０の幾つかの例として、デスクトップコンピュータ、ＰＤＡ、携帯電話、ラップトップ、及び／又はＶｏＩＰ電話がある。エンドポイント１１０は、ハードウェア、コンピュータ読取可能な媒体に組み入れられたソフトウェア、及び／又はハードウェアに組み込まれた若しくは別なふうに記憶された符号化されたロジック（例えば、ファームウェア）のあらゆる組み合わせを通してユーザへデータ又はネットワークサービスを提供してよい。エンドポイント１１０は、さらに、データ及び／又は信号を送受信しうる無人若しくは自動システム、ゲートウェイ、他の中間コンポーネント又は他の装置を有してよい。
【００１７】
基地局１０８ａ及び遠隔トランシーバ１１２は、エンドポイント１１０と通信するために如何なる適切な通信スキームを使用してもよい。例えば、ＭＩＭＯスキームが使用されてよく、データストリームをエンドポイント１１０へ送るために複数の物理アンテナポート１１６を利用する。特定の実施形態においては、ＤＬＣｏＭＰスキームが使用され、異なる場所（例えば、異なる遠隔トランシーバ１１２又は基地局１０８ａ）に置かれた複数の物理アンテナポート１１６が、異なる場所に置かれたエンドポイントと通信するために使用される。エンドポイント１１０は、複数の遠隔トランシーバ１１２及び／又は基地局１０８ａからの複数の信号を単一通信にまとめてよい。
【００１８】
様々なタイプの情報がエンドポイント１１０へ又はエンドポイント１１０から送信されてよい。特定の実施形態において、基地局１０８ａは、セル１０４全体のための制御メッセージを生成し、それらの制御メッセージを遠隔トランシーバ１１２へ送信する。それらの制御メッセージは、分散型アンテナシステム１００の各物理アンテナポート１１６によって一緒に送信されてよい。制御メッセージは、エンドポイント１１０が基地局１０８ａから送信された伝送から関連するデータトラフィックを取り出すことを可能にする情報（例えば、スケジューリング又は復調情報）を含んでよい。特定の実施形態において、それらの制御メッセージは、ＬＴＥ−Ａ標準に従う。例えば、制御メッセージは、セル特有の基準信号（cell-specific  reference  signal）、例えば、一次同期信号（primary  synchronization  signal）（ＰＳＳ）、二次（secondary）同期信号（ＳＳＳ）、物理ブロードキャストチャネル（physical  broadcast  channel）（ＰＢＣＨ）、及び／又は物理ダウンリンク制御チャネル（physical  downlink  control  channel）（ＰＤＣＣＨ）基準信号を含んでよい。
【００１９】
様々な他の信号が物理アンテナポート１１６によって送信されてよい。例えば、各物理アンテナポート１６は、チャネル基準信号、例えば、ＬＴＥ−Ａにおいて定義されるチャネル状態情報基準信号（channel  state  information  reference  signal）（ＣＳＩ−ＲＳ）を送信してよい。チャネル基準信号は、一連の値、例えば、疑似ランダムシーケンスを含んでよい。エンドポイント１１０は、様々な物理アンテナポート１１６からチャネル基準信号を受信し、その受信したチャネル基準信号の品質（例えば、強さ）に基づき信号品質フィードバックを基地局１０８ａへ供給する。信号品質フィードバックは、エンドポイント１１０と通信するために使用されるトランシーバのセット１２０を選択するよう基地局１０８ａによって使用されてよい。
【００２０】
表されるように、トランシーバ１１２及び１０８ａはセット１２０に配置されてよい。例えば、セット１２０ａは基地局１０８ａを含み、セット１２０ｂは遠隔トランシーバ１１２ａ及び１１２ｂを含み、セット１２０ｃは遠隔トランシーバ１１２ｃ及び１１２ｄを含み、セット１２０ｄは遠隔トランシーバ１１２ｅ及び１１２ｆを含む。各セット１２０は、如何なる適切な数のトランシーバ１１２及び／又は基地局１０８ａを含んでもよい。トランシーバがセット１２０に割り当てられた後、１又はそれ以上の論理ポートが各セット１２０に割り当てられる。各セット１２０の論理ポートは、そのセットに割り当てられているトランシーバの１又はそれ以上の物理アンテナポート１１６に対応する。セット１２０の物理アンテナポート１１６は、夫々、共通シーケンスに基づくチャネル基準信号（例えば、ＣＳＩ−ＲＳ）を送信してよい。セット１２０によって使用されるシーケンス及び占有リソース（例えば、時間、周波数、又は符号）は、実質的に、３ＧＰＰリリース１０において記載されるＣＳＩ−ＲＳによって使用されるシーケンス及び占有リソースと同じ又は類似してよい。しかし、各セット１２０によってそのチャネル基準信号を送信するために使用される占有リソースのうち少なくとも１つは、他のセット１２０によってそれらの夫々のチャネル基準信号を送信するために使用されるリソースに対して、時間、周波数、又は符号領域（又はそれらのいずれかの組み合わせ）において直交する。これは、異なるセット１２０からのチャネル基準信号がエンドポイント１２０によって区別されることを可能にする。
【００２１】
論理ポートの各物理アンテナポート１１６は、同じチャネル基準信号（例えば、同じシーケンスを有する信号）を送信してよい。特定の実施形態において、チャネル基準信号は、セット１２０の各チャネル基準信号が基づく共通シーケンスにプリコーディング行列を適用することによって生成される。論理ポートの物理アンテナポート１１６によって使用されるプリコーディング行列は固定であってよい（すなわち、特定の論理ポートの各物理アンテナポート１１６は、同じプリコーディング行列を使用する。）。同じセット１２０の他の論理ポートは、同じプリコーディング行列又は異なるプリコーディング行列を使用してよい。異なるプリコーディング行列がセット１２０の論理ポートによって使用される場合、それらのプリコーディング行列は、同じフロベニウスノルム（Frobenius  norm）を有してよい。
【００２２】
セット１２０の各論理ポートは、そのセットの他の論理ポートの１又はそれ以上の物理アンテナポートと実質的に同じ幾何分布を有する１又はそれ以上の物理アンテナポート１１６に対応してよい。すなわち、セット１２０の論理ポートが、１又はそれ以上の特定の位置（例えば、遠隔トランシーバ１１２ａ）にある１又はそれ以上の物理アンテナポート１１６に対応する場合に、そのセットの他の論理ポートの夫々も、同じ１又はそれ以上の位置にある１又はそれ以上の異なる物理アンテナポート１１６に対応する。このように、特定のセット１２０における論理ポートの数は、最小数の物理アンテナポート１１６を有するセットのトランシーバにある物理アンテナポート１１６の数に等しくてよい（それらの物理アンテナポート１１６の夫々は、そのセット１２０の論理ポートに含まれるため）。
【００２３】
セット１２０の論理ポートの物理アンテナポート１１６が実質的に同じ幾何分布を有し、且つ、セット１２０の論理ポートのチャネル基準信号が実質的に同じシーケンスに基づく場合、セット１２０の論理ポートの物理アンテナポート１１６からセル１０４内のいずれかの場所でエンドポイント１１０において受信される信号の強さは、実質的に、そのセットの他の論理ポートの物理アンテナポート１１６からの受信信号と同じである。これは、ここで記載される方法及びシステムにおいて、３ＧＰＰリリース１０において示される既存のＭＩＭＯコードブックセットの再利用を助けうる。
【００２４】
チャネル基準信号の構成（例えば、ＣＳＩ−ＲＳ構成）は、同じセル１０４において、異なるセット１２０ごとに異なってよい。セット１２０のための構成は、論理ポート（例えば、ＣＳＩ−ＲＳポート）の数、１又はそれ以上の変調シーケンス、リソースマッピング、送信の周期、サブフレーム・オフセット、他の適切な情報、又はそれらの組み合わせを特定してよい。構成は、如何なる適切な方法においても（例えば、ＰＢＣＨと関連する制御メッセージを通して）通知されてよい。
【００２５】
図２は、図１に表されるトランシーバ割り当てのための割当表１５０の例を表す。表１５０は、セット１２０ａ〜ｄ、それらのセットに割り当てられる論理ポート、及びそれらの論理ポートに対応する物理アンテナポート１１６を示す。セット１２０ａは２つの論理ポートを含む。第１の論理ポートは、基地局１０８ａの物理アンテナポート１１６ａに対応し、第２の論理ポートは、物理アンテナポート１１６ｂに対応する。セット１２０ｂは、遠隔トランシーバ１１２ａの物理アンテナポート１１６ｃ及び遠隔トランシーバ１１２ｂの物理アンナポート１１６ｅに対応する第１の論理ポートを含む。セット１２０ｂは、遠隔トランシーバ１１２ａの物理アンテナポート１１６ｄ及び遠隔トランシーバ１１２ｂの物理アンテナポート１１６ｆに対応する第２の論理ポートをさらに含む。セット１２０ｃは、遠隔トランシーバ１１２ｃの物理アンテナポート１１６ｇ及び遠隔トランシーバ１１２ｄの物理アンテナポート１１６ｉに対応する第１の論理ポートを含む。セット１２０ｃは、遠隔トランシーバ１１２ｃの物理アンテナポート１１６ｈ及び遠隔トランシーバ１１２ｄの物理アンテナポート１１６ｊに対応する第２の論理ポートをさらに含む。セット１２０ｄは、遠隔トランシーバ１１２ｅの物理アンテナポート１１６ｋ及び遠隔トランシーバ１１２ｆの物理アンテナポート１１６ｍに対応する第１の論理ポートを含む。セット１２０ｄは、遠隔トランシーバ１１２ｅの物理アンテナポート１１６ｌ及び遠隔トランシーバ１１２ｆの物理アンテナポート１１６ｎに対応する第２の論理ポートをさらに含む。
【００２６】
図１に示される各セット１２０は、そのセット１２０の他の論理ポートと実質的に同じ幾何分布の物理アンテナポート１１６を有する論理ポートを含む。例えば、セット１２０ｂの第１及び第２の両論理ポートは、遠隔トランシーバ１１２ａにある物理アンテナポート１１６及び遠隔トランシーバ１１２ｂにある物理アンテナポート１１６に対応する。従って、エンドポイント１１０がセット１２０ｂの第１の論理ポートの物理アンテナポート１１６からチャネル基準信号を受信する場合、そのチャネル基準信号は、セット１２０ｂの第２の論理ポートの物理アンテナポート１１６から受信されるチャネル基準信号と実質的に同じ強さを有する。
【００２７】
特定の実施形態において、論理ポートが、実質的に同じチャネル基準信号を送信する複数の物理アンテナポート１１６に対応する場合、それらの物理アンテナポート１１６のうち１又はそれ以上は、位相シフトを伴ってチャネル基準信号を送信する。位相シフトは、セット１２０のカバレッジを最適化するようチューニングされるビームステアリングベクトルによって決定されてよい。一般的に、そのようなチューニングは、１又はそれ以上の物理アンテナポート１１６の方向性を変更するよう干渉を利用する。
【００２８】
図１のエンドポイント１１０は、セット１２０の物理アンテナポート１１６によって送信されるチャネル基準信号を受信するよう構成される。特定のセット１２０に関し、エンドポイント１１０によって経験されるチャネルは、セット１２０の物理アンテナポート１１６の夫々からのチャネル応答の和である。各セット１２０に関し、エンドポイント１１０は、そのセット１２０の物理アンテナポート１１６から受信されるチャネル基準信号を単一信号にまとめてよい。実際に、ある状況において、エンドポイント１１０は、セット１２０の特定の物理アンテナポート１１６によって送信されるチャネル基準信号と、そのセット１２０の他の物理アンテナポート１１６によって送信されるチャネル基準信号とを区別することができないことがある。
【００２９】
セット１２０はセル１０４の地理的エリアにわたって分布するので、様々なセットからエンドポイント１１０で受信されるチャネル基準信号の強さは異なりうる。一般的に、よりエンドポイント１１０に近い物理アンテナポート１１６を含むセット１２０からのチャネル基準信号は、よりエンドポイント１１０から遠い物理アンテナポート１１６を含むセット１２０からのチャネル基準信号よりも強い。
【００３０】
エンドポイント１１０は、夫々のセット１２０から受信されるチャネル基準信号の品質及び／又は強さに基づき、セット１２０ごとに、信号品質フィードバックを計算する。特定の実施形態において、セットごとに計算される信号品質フィードバックは、３ＧＰＰリリース１０において定義されるチャネル品質インジケータ（channel  quality  indicator）（ＣＱＩ）、プリコーディング行列インジケータ（precoding  matrix  indicator）（ＰＭＩ）、又はランクインジェーション（rank  indication）（ＲＩ）のうち１又はそれ以上を含んでよい。信号品質フィードバックを計算した後、エンドポイント１１０は、信号品質フィードバックを基地局１０８ａに報告する。特定の実施形態において、エンドポイント１１０は、セット１２０ごとに信号品質フィードバックを報告する。他の実施形態では、エンドポイント１１０は、セット１２０のサブセットについて信号品質フィードバックを報告する。例えば、エンドポイント１１０は、最も強いチャネル基準信号を有するセット（例えば、最も高い測定ＣＱＩを有するセット１２０）についての信号品質フィードバックと、２番目に強いチャネル基準信号を有するセット１２０についての信号品質フィードバックとを報告してよい。
【００３１】
基地局１０８ａは、どのセット１２０について信号品質フィードバックを測定及び／又は供給すべきかに関してエンドポイント１１０に指示するよう動作してよい。例えば、基地局１０８ａは、最も強いチャネル基準信号を有するセット１２０について信号品質フィードバックを供給するようエンドポイント１１０に指示してよい。他の例として、基地局１０８ａは、特定のセット（例えば、セット１２０ｂ及び１２０ｃ）についてのみ信号品質フィードバックを測定及び供給するようエンドポイント１１０に指示してよい。
【００３２】
エンドポイント１１０から信号品質フィードバックを受け取った後、基地局１０８ａは、受け取った信号品質フィードバックに基づき１又はそれ以上の決定を行う。例えば、基地局１０８ａは、特定のセット１２０が、エンドポイント１１０と通信し、そして、結果として、そのセット１２０をエンドポイント１１０と関連付けるために使用されるべきであると決定してよい。一例として、基地局１０８ａは、エンドポイント１１０からの最良の信号品質フィードバック（例えば、最も強いチャネル基準信号）を有するセット１２０が、データトラフィックをエンドポイント１１０に送るために使用されると決定する。特定の実施形態において、基地局１０８ａは、複数のエンドポイント１１０から信号品質フィードバックを受け取り、システム最適性を達成するために各エンドポイント１１０をセット１２０と関連付ける。例えば、特定のエンドポイント１１０は、最良の信号品質フィードバックを測定されたセット１２０が別のエンドポイント１１０により良く適している場合に、２番目に良い信号品質フィードバックを測定されたセット１２０と関連付けられる。複数のエンドポイントは、時分割多重アクセス（ＴＤＭＡ）又は周波数分割多重アクセス（ＦＤＭＡ）が利用される場合に、同じセット１２０に割り当てられてよい。
【００３３】
受け取った信号品質フィードバックに基づく決定の他の例として、基地局１０８ａは、エンドポイント１１０の位置を決定してよい。決定される位置は相対的位置である。例えば、エンドポイント１１０の決定される位置は、エンドポイント１１０が、別の遠隔トランシーバ１１２ｂ又は基地局１０８ａに対してよりも特定の遠隔トランシーバ１１２ａに近いことを示してよい。
【００３４】
受け取った信号品質フィードバックに基づく決定の更なる他の例として、基地局１０８ａは、エンドポイント１１０が特定のセット１２０についてフィードバックを測定及び／又は供給すべきであると決定してよい。幾つかの実施形態において、特定のセット１２０は、エンドポイント１１０の決定される位置に基づき選択される。例えば、基地局１０８ａは、エンドポイント１１０が、エンドポイント１１０に最も近い３つ（又は他の適切な数）のセット１２０についてフィードバックを測定及び／又は供給すべきであると決定してよい。次いで、基地局１０８ａは、この決定を関連するエンドポイント１１０へ送り、エンドポイントは、指定されるセットについて信号品質フィードバックを測定及び／又は供給する。
【００３５】
基地局１０８ａがエンドポイント１１０との通信のためのセット１２０を選択した後、基地局１０８ａは、選択されたセット１２０の物理アンテナポート１１６を通してエンドポイント１１０へデータトラフィックを送ってよい。これは、エンドポイント１１０と選択されたセットの少なくとも１つの物理アンテナポート１１６との間の少なくとも１つの無線接続１１４を用いて基地局１０８ａからエンドポイント１１０へデータトラフィックを送信することを伴ってよい。すなわち、基地局１０８ａは、（基地局１０８ａが、選択されたセットに割り当てられる場合に）基地局１０８ａの物理アンテナポート１１６を通してデータトラフィックを送信してよく、及び／又は、選択されたセットの１又はそれ以上の遠隔トランシーバ１１２へ有線接続１１１を通してデータトラフィックを送信し、遠隔トランシーバ１１２に、関連する物理アンテナポート１１６を通してデータトラフィックを送信するよう指示してよい。
【００３６】
データトラフィックは、基地局１０８ａとエンドポイント１１０との間の接続をセットアップし且つ保つために使用される制御トラフィックとは区別されてよい。例えば、限定ではなく、データトラフィックは、基地局１０８ａが基地局１０８ａに結合されたネットワーク（例えば、インターネット）から又は同じセル１０４若しくは異なるセルにある他のエンドポイント１１０から受け取る情報を含んでよい。特定の実施形態において、データトラフィックは、ＬＴＥ−Ａプロトコルにおいて定義される物理ダウンリンク共有チャネル（physical  downlink  shared  channel）（ＰＤＳＣＨ）を介してエンドポイント１１０へ送信される。そのような実施形態では、ＬＴＥ−Ａプロトコルにおいて定義される復調基準信号（demodulation  reference  signal）（ＤＭ−ＲＳ）は、選択されたセット１２０の物理アンテナポート１１６から送信され、関連するデータトラフィックをＰＤＳＣＨから取り出すために使用されてよい。
【００３７】
複数の物理アンテナポート１１６を含むセットにおいて、データトラフィックは、ＭＩＭＯスキームを用いて基地局１０８ａからエンドポイント１１０へ送信されてよい。例えば、セット１２０の２つの論理ポートは、夫々、並列なデータストリームの一部を（各ポートがその一部に対応する１又はそれ以上の物理アンテナポート１１６を介して）エンドポイント１１０へ送信する。図１に表される割り当てによれば、マルチユーザ（multi-user）ＭＩＭＯ（ＭＵ−ＭＩＭＯ）が使用される場合に、最大で４つのエンドポイント１１０が同じリソースブロック（ＲＢ）において扱われてよい。
【００３８】
図１は、特定の数及び構成のエンドポイント、接続、リンク、及びノードを表すが、分散型アンテナシステム１００は、あらゆる数又は配置のそのようなコンポーネントをデータ通信のために考える。さらに、分散型アンテナシステム１００の要素は、互いに対して中央に位置する（ローカル）又は分散型アンテナシステム１００の全体にわたって分布するコンポーネントを含んでよい。
【００３９】
図３は、分散型アンテナシステム１００におけるセットへのトランシーバの代替の割り当てを表す。表される実施形態では、各セット１２０は、１つのトランシーバ（すなわち、遠隔トランシーバ１１２又は基地局１０８ａのいずれか一方）を含む。図４は、図３に表される割り当て構成のための割当表１６０の例を表す。表１６０に示されるように、各セットは２つの論理ポートを含み、各論理ポートは、夫々のセット１２０のトランシーバの１つの物理アンテナポート１１６に対応する。
【００４０】
図３に示される割り当ては、セット１２０の数の増加により、図１に示される割り当てに比べて、より多くのエンドポイント１１０がセル１０４内で扱われることを可能にする。例えば、図３に表される割り当てによれば、ＭＵ−ＭＩＭＯが分散型アンテナシステム１００によって使用される場合に、最大で７つのエンドポイントが同じＲＢにおいて扱われてよい。しかし、この割り当ては、さらに、基準信号を送信すること及びエンドポイント１１０からのフィードバックを受信し処理することにおいて管理上のオーバヘッドの増大をもたらす。幾つかの状況において、管理上のオーバヘッドは、セット１２０ｅ〜ｋのサブセットについてのみ信号品質フィードバックを報告する１又はそれ以上のエンドポイントを有することによって、低減され得る。図３に示される割り当ては、図１の割り当てに比べて、エンドポイント１１０と通信する各セット１２０において含まれる物理アンテナポート１１６が少なくいので、エンドポイント１１０ごとのスループットも小さい。
【００４１】
セット１２０へのトランシーバの割り当ては、基地局１０８ａによって如何なる適切な時点においても変更されてよい。変更がなされるべきであると決定すると、基地局１０８ａは、そのような変更を遠隔トランシーバ１１２に知らせる。例えば、基地局１０８ａは、遠隔トランシーバ１１２に、（他のセット１２０からの伝送とのコンフリクトを避けるために、）遠隔トランシーバ１１２が異なるセット１２０に置かれた場合に、その物理アンテナポート１１６からチャネル基準信号を送出するために異なる周波数、時間、又は符号を使用すべきであると知らせてよい。特定の実施形態において、基地局１０８ａからのＰＢＣＨアップデートは、セット１２０の構成における変更を実施してよい。
【００４２】
セット１２０にトランシーバを割り当て、セット１２０の物理アンテナポート１１６を通して基準信号を送信し、基準信号に関するフィードバックを受信するためのそのようなアプローチは、様々な利点を提供する。例えば、ＣＲＳ及びＰＤＣＣＨのカバレッジ範囲及び信頼性は、セル１０４にある全ての物理アンテナポート１１６を通るジョイント及びコヒーレント送信により増大する。他の例として、エンドポイント１１０と通信するために同じＲＢを用いて複数の物理アンテナポート１１６からエンドポイント１１０で受信される信号強度は、同じである（すなわち、経路損失の不平衡は存在しない。）。これは、３ＧＰＰリリース１０において記載されるＭＩＭＯスキームの再利用を簡単化する。セット１２０の動的な適応機能は、基地局１０８ａが、特定の性能特性を提供するよう分散型アンテナシステム１００を構成することを可能にする。例えば、分散型アンテナシステム１００は、より多くのエンドポイント１１０をサポートするよう、又はより高いスループットをエンドポイント１１０に提供するよう構成されてよい。また、基地局１０８ａは、分散型アンテナシステム１００のセット１２０のうち１又はそれ以上のカバレッジを最適化するよう、１又はそれ以上の物理アンテナポート１１６の１又はそれ以上のビームステアリングベクトルを調整してよい。また、基地局１０８ａは、特定のエンドポイント１１０との通信に最適であるセット１２０を選択してよい。
【００４３】
図５は、複数のセル１０４に置かれた分散型アンテナシステム２００におけるセット１２０へのトランシーバの割り当ての例を表す。分散型アンテナシステム２００は、セル１０４ａ〜１０４ｇのうち１つに夫々置かれている複数のトランシーバ（すなわち、基地局１０８ｂ及び遠隔トランシーバ１１２ｇ〜ｌ）を含む。各セル１０４は、夫々のセル１０４を一意に識別するセル識別子によって特定されてよい。各セル１０４のセル識別子は、夫々のセル１０４の境界内にあるトランシーバと関連づけられる。夫々のセル識別子は、基地局１０８ａ又は遠隔トランシーバ１１２からエンドポイント１１０への伝送のサブセットに含まれてよい。
【００４４】
基地局１０８ｂは、基地局１０８ａに関して上述された特性及び機能のうちいずれかの１又はそれ以上を有してよい。遠隔トランシーバ１１２ｇ〜ｌは、遠隔トランシーバ１１２ａ〜ｆに関して上述された特性及び機能のうちいずれかの１又はそれ以上を有してよい。特定の実施形態において、遠隔トランシーバ１１２ｇ〜ｌは、セル１０４全体の少なくとも本質的部分をカバーするのに十分長い伝送距離を有する物理アンテナポート１１６ｑ〜１０６ｂｂを備えた高出力トランシーバである。基地局１０８ｂは、有線接続１１１ｇ〜ｌを介して遠隔トランシーバ１１２に結合されてよい。基地局１０８ｂは、有線接続１１１を通して遠隔トランシーバ１１２と通信するために、如何なる適切な有線テクノロジ又はプロトコル（例えば、ＣＰＲＩ）を使用してもよい。図示されないが、遠隔トランシーバ１１２ｇ〜ｌは、夫々、ネットワークサービス及びデータをエンドポイント１１０に提供するよう動作する１又はそれ以上のネットワーク（例えば、インターネット、あるいは１又はそれ以上のＰＳＴＮ）に結合されてよい。
【００４５】
トランシーバは、図１に関して上述されたのと同様に１又はそれ以上のセット１２０に割り当てられてよい。上述されたように、各セット１２０は、そのセットのトランシーバの１又はそれ以上の物理アンテナポートに夫々対応する１又はそれ以上の論理ポートを含む。図５に表される例では、セル１０４ｇに関連する２つのセット１２０が示されている。第１のセット１２０ｍは２つの論理ポートを含む。第１の論理ポートは物理アンテナポート１１６ｏを含み、第２の論理ポートは物理アンテナポート１１６ｐを含む。セル１０４ｇに関連する第２の組はセット１２０ｎである。セット１２０ｎは同様に２つの論理ポートを含む。第１の論理ポートは、基地局１０８ｂの物理アンテナポート１１６ｏと、遠隔トランシーバ１１２ｉの物理アンテナポート１１６ｕとを含む。第２の論理ポートは、基地局１０８ｂの物理アンテナポート１１６ｐと、遠隔トランシーバ１１２ｉの物理アンテナポート１１６ｖとを含む。
【００４６】
特定の実施形態において、各セット１２０は、セル識別子と関連付けられる。異なるセル１０４からのトランシーバを含むセット１２０は、いずれか一方のセルのセル識別子と関連付けられてよい。例えば、表される実施形態では、セット１２０ｎは、セル１０４ｇ（基地局１０８ｂ）及びセル１０４ｄ（遠隔トランシーバ１１２ｉ）からのトランシーバを含む。表される実施形態に関して論じられる例において、セット１２０ｎは、セル１０４ｇのためのセル識別子と関連付けられる。なお、同じトランシーバ（基地局１０８ｂ及び遠隔トランシーバ１１２ｉ）を含む更なるセットは、セル１０４ｄのためのセル識別子と関連付けられてよい。
【００４７】
図示されないが、基地局１０８ｂ及び／又は遠隔トランシーバ１１２ｇ〜ｌは、更なるセット１２０に割り当てられてよい。例えば、基地局１０８ｂ及び遠隔トランシーバ１１２ｊは、更なるセットに割り当てられてよい。基地局１０８ｂは、４つの更なるセットを形成するよう同様に遠隔トランシーバ１１２ｋ、１１２ｌ、１１２ｇ及び１１２ｈの夫々と対にされてよい。他の例として、２又はそれ以上の遠隔トランシーバ１１２は、更なるセットを形成するようグループにまとめられてよい。図１に関して上述された割り当てスキームにおいて見られるように、特定のセット１２０の各論理ポートは、そのセットの他の論理ポートの物理アンテナポート１１６と実質的に同じ幾何分布を有する１又はそれ以上の物理アンテナポート１１６に対応してよい。
【００４８】
セット１２０が形成された後、各セットの物理アンテナポート１１６は、チャネル基準信号を送信する。複数のセット１２０が同じセル識別子と関連付けられる場合、各セル内で送信されるチャネル基準信号は、時間、周波数、若しくは符号（ＯＣＣ）領域、又はそれらのいずれかの組み合わせにおいて直交すべきであり、それにより、夫々のセットによって送信されるチャネル基準信号は、エンドポイント１１０によって区別され得る。セット１２０が、別のセット１２０と関連付けられるセル識別子とは異なるセル識別子と関連付けられる場合、それら２つのセットは、チャネル基準信号が異なって送信される場合に、それらの夫々のチャネル基準信号を送信するよう実質的に同じシーケンス及びリソースを共有してよい（例えば、チャネル基準信号は、上述されたように、異なる構成により区別されてよい。）。
【００４９】
例えば、セット１２０ｍの物理アンテナポート１６０（すなわち、物理アンテナポート１１６ｏ及び１１６ｐ）は、エンドポイント１１０によって受信及び測定される第１のチャネル基準信号を送信してよい。異なる（例えば、第１のチャネル基準信号を送信するために使用されるリソースに対して時間、周波数、若しくは符号領域、又はそれらの組合せにおいて直交する）リソースを用いる第２のチャネル基準信号は、セット１２０ｎの物理アンテナポート１１６（すなわち、物理アンテナポート１１６ｏ、１１６ｐ、１１６ｕ及び１１６ｖ）によって送信される。ある実施形態においては、エンドポイント１１０は、第２のチャネル基準信号が２つの異なるセルにあるトランシーバから送信されることに、それらの送信が同じセル識別子と関連付けられているために、気付かない。
【００５０】
上述されたように、論理ポートが、同じチャネル基準信号を送信する複数の物理アンテナポート１１６に対応する場合に、物理アンテナポート１１６のうち１又はそれ以上は、位相シフトを伴ってチャネル基準信号を送信してよい。位相シフトは、セット１２０のカバレッジを最適化するようチューニングされるビームステアリングベクトルによって、決定されてよい。
【００５１】
エンドポイント１１０は、主セル１０４と関連付けられてよい。例えば、表される実施形態では、エンドポイント１１０と関連付けられる主セルは、セル１０４ｇである。一般的に、エンドポイント１１０と関連付けられる主セルは、エンドポイント１１０が新たな主セルにハンドオーバーされるまで同じままである。ある実施形態では、主セルと関連付けられるエンドポイント１１０は、主セル１０４のセル識別子と関連付けられるセット１２０からのチャネル基準信号を測定して、そのフィードバックを供給するとともに、主セルのセル識別子と関連付けられていないセットから送信されるチャネル基準信号を無視するよう構成される。
【００５２】
特定の実施形態において、主セル１０４のトランシーバは、ある制御メッセージ（例えば、ＣＲＳ）をエンドポイント１１０へ送信し、他のセル１０４のトランシーバは、そのようなメッセージを送信する必要がない。かかる制御メッセージ（例えば、ＣＲＳ）に含まれる情報は、他の制御メッセージ、例えば、ＰＤＣＣＨに含まれる制御メッセージ等を復号化するためにエンドポイント１１０によって使用されてよい。特定の実施形態において、エンドポイント１１０は、さらに、主セル１０４ｇからのＰＤＣＣＨを受信する。
【００５３】
エンドポイント１１０から信号品質フィードバックを受け取った後、基地局１０８ｂは、受け取った信号品質フィードバックに基づいて１又はそれ以上の決定を行う。例えば、基地局１０８ｂは、特定のセット１２０がエンドポイント１１０と通信するために使用されるべきであると決定してよく、結果として、そのセット１２０をエンドポイント１１０と関連付けることができる。
【００５４】
特定の実施形態において、基地局１０８ｂは、異なるセル１０４にあるトランシーバを含むセット１２０（例えば、セット１２０ｎ）からのチャネル基準信号の強さが、基地局１０８ｂしか含まないセット１２０（例えば、セット１２０ｍ）からのチャネル基準信号の強さを所定量だけ超える場合にのみ、そのセット１２０ｎを選択する。例えば、セット１２０ｎに関連する信号品質フィードバックにおいて示されるＣＱＩが、セット１２０ｍに関連する信号品質フィードバックにおいて示されるＣＱＩよりも高い場合でさえ、基地局１０８ｂは、セット１２０ｎに関連するＣＱＩがセット１２０ｍに関連するＣＱＩよりも所定量だけ高くなるまでは、通信するためにセット１２０ｍを使用すると決定してよい。そのような実施形態は、複数のセル１０４にあるトランシーバを通してエンドポイント１１０と通信することに付随するオーバヘッドの増大に起因して、実施されてよい。
【００５５】
また、基地局１０８ｂは、信号品質フィードバックに基づいてエンドポイント１１０の位置を決定してよい。決定される位置は相対的位置であってよい。例えば、エンドポイント１１０の決定される位置は、エンドポイント１１０が、基地局１０８ｂに対してよりも特定の遠隔トランシーバ１１２ｉに近いことを示してよい。基地局１０８ｂは、エンドポイント１１０がセル１０４ｇとセル１０４ｄとの間の境界に近いと決定する場合、セル１０４ｄをハンドオーバーのための候補と見なしてよい。
【００５６】
また、基地局１０８ｂは、エンドポイント１１０が、主セル１０４のセル識別子と関連付けられるセット１２０のサブセットに関しフィードバックを測定及び／又は供給すべきである、と決定してよい。幾つかの実施形態において、特定のセット１２０は、エンドポイント１１０の決定された位置に基づき選択される。例えば、表される実施形態において示されるエンドポイント１１０の位置に関して、基地局１０８ｂは、エンドポイント１１０がセット１２０ｍ及びセット１２０ｎに関しフィードバックを測定及び／又は供給すべきである（そして、同じセル識別子を有する他のセットからのチャネル基準信号を無視すべきである）と決定してよい。次いで、基地局１０８ｂは、この決定を関連するエンドポイント１１０へ知らせ、エンドポイント１１０は、指定されるセットに関し信号品質フィードバックを測定及び／又は供給する。
【００５７】
基地局１０８ｂがエンドポイント１１０との通信のためにセット１２０を選択した後、基地局１０８ｂは、選択されたセット１２０の物理アンテナポート１１６を通してエンドポイント１１０へデータを送ってよい。例えば、セット１２０ｍが選択される場合、基地局１０８ｂは、３ＧＰＰリリース１０において記載される従来型のＭＯＭＯを用いてエンドポイント１１０と通信してよい。他の例として、セット１２０ｎが選択される場合、基地局１０８ｂ及び遠隔トランシーバ１１２ｉは、ＣｏＭＰジョイントプロセッシング（Joint  Processing）（ＣｏＭＰ  ＪＰ）を用いてエンドポイント１１０と通信してよい。特定の実施形態において、データは、ＰＤＳＣＨを用いて送られてよい。ＰＤＳＣＨがセット１２０の複数の論理ポートを介して送信される場合、データトラフィックをＰＤＳＣＨから取り出すために使用されるＤＭ−ＲＳは、論理ポートごとに異なってよいが、セット１２０に関連する同じＤＭ−ＲＳプリコーダ行列に基づいてよい。
【００５８】
エンドポイント１１０がその後に別の主セル１０４（例えば、セル１０４ｄ）へハンドオーバーされる場合、様々な制御メッセージ（例えば、ＰＤＣＣＨを介する）が遠隔トランシーバ１１２ｉによってエンドポイント１１０へ送信されてよい。例えば、遠隔トランシーバ１１２ｉは、エンドポイント１１０に、セル１０４ｄのセル識別子と関連付けられるセット１２０に関し信号品質フィードバックを測定及び供給し始めるよう指示してよい。
【００５９】
相異なるセルにあるトランシーバを含むセット１２０へトランシーバを割り当てるためのそのようなアプローチは、様々な利点を提供しうる。例えば、隣接するセルにおけるトランシーバは、その隣接するセルへのハンドオーバーを開始する必要なしに、エンドポイントと通信するために使用されてよい。他の例として、経路損失の不平衡は、ジョイントプロセッシングが異なる遠隔トランシーバ１１２から実行される場合に、低減又は除去され得る。これは、３ＧＰＰリリース１０において開示されるＭＩＭＯスキームの再利用を簡単化しうる。他の例として、相異なるセルにおける複数の遠隔トランシーバ１１２ｉからのジョイント送信に基づく信号品質フィードバックは、２つのセルについて別々に信号品質フィードバックを報告し且つ基地局１０８ｂに２つの測定を結合させることよりも正確でありうる。また、複数のセル１２０を用いる柔軟なスケジューリングが、エンドポイントの位置に基づき動的に行われ得る。例えば、異なる伝送モード（単一サイトＭＩＭＯ又はＣｏＭＰ  ＪＰ）のスケジューリングは、ＰＤＣＣＨを用いて行われてよい。
【００６０】
図６は、例となる基地局１０８、例となる遠隔トランシーバ１１２、及び例となるエンドポイント１１０を含む分散型アンテナシステム２５０の例を表す。分散型アンテナシステム２５０は、図１、３及び５の分散型アンテナシステム１００若しくは２００又は他のシステムの少なくも一部に対応してよい。基地局１０８、遠隔トランシーバ１１２及びエンドポイント１１０は、夫々、１又はそれ以上のコンピュータシステムの１又はそれ以上の部分を含んでよい。特定の実施形態において、そのようなコンピュータシステムのうち１又はそれ以上は、ここで記載又は例示される１又はそれ以上の方法の１又はそれ以上のステップを実行してよい。特定の実施形態において、１又はそれ以上のコンピュータシステムは、ここで記載又は例示される機能性を提供してよい。特定の実施形態において、１又はそれ以上のコンピュータシステムにおいて実行されるエンコードされたソフトウェアは、ここで記載又は例示される１又はそれ以上の方法の１又はそれ以上のステップを実行し、あるいは、ここで記載又は例示される機能性を提供してよい。
【００６１】
基地局１０８、遠隔トランシーバ１１２及びエンドポイント１１０のコンポーネントは、如何なる適切な物理的な形態、構成、数、タイプ及び／又はレイアウトを有してもよい。一例として、限定ではなく、基地局１０８、遠隔トランシーバ１１２及び／又はエンドポイント１１０は、埋め込み型のコンピュータシステム、システム・オン・チップ（system-on-chip）（ＳＯＣ）、シングルボード・コンピュータシステム（single-board  computer  system）（ＳＢＣ）（例えば、コンピュータ・オン・モジュール（computer-on-module）（ＣＯＭ）若しくはシステム・オン・モジュール（system-on-module）（ＳＯＭ））、デスクトップ型コンピュータシステム、ラップトップ若しくはノートブック型コンピュータシステム、対話型キオスク、メインフレーム、コンピュータシステム網、携帯電話、パーソナルデジタルアシスタント（ＰＤＡ）、サーバ、又はこれらのうち２若しくはそれ以上の組み合わせを有してよい。必要に応じて、基地局１０８、遠隔トランシーバ１１２及び／又はエンドポイント１１０は、１又はそれ以上のコンピュータシステムを含んでも、中央集権型若しくは分散型であっても、複数の場所に及んでも、複数の機械に及んでも、又はクラウドに存在してもよい。なお、クラウドは、１又はそれ以上のネットワークにおける１又はそれ以上のクラウドコンポーネントを含んでよい。
【００６２】
表される実施形態において、基地局１０８、遠隔トランシーバ１１２及びエンドポイント１１０は、夫々、各自のプロセッサ２１１、２２１及び２３１と、メモリ２１３、２２３及び２３３と、記憶部２１５、２２５及び２３５と、インターフェース２１７、２２７及び２３７と、バス２１２、２２２及び２３２とを含む。特定の分散型アンテナシステムが、特定の配置において特定の数の特定のコンポーネントを有するよう表されるが、本開示は、あらゆる適切な配置においてあらゆる適切な数のあらゆる適切なコンポーネントを有するあらゆる適切な分散型アンテナシステム２５０を考える。簡単のために、基地局１０８、遠隔トランシーバ１１２及びエンドポイント１１０の同じコンポーネントは、基地局１０８のコンポーネントに言及する中でまとめて論じられる。しかし、それらのデバイスが同じコンポーネント又は同じタイプのコンポーネントを有する必要はない。例えば、プロセッサ２１１は、汎用のマイクロプロセッサであってよく、プロセッサ２２１は、特定用途向け集積回路（application  specific  integrated  circuit）（ＡＳＩＣ）であってよい。
【００６３】
プロセッサは、単独で、又は他のコンポーネント（メモリ２１３）とともに、無線ネットワーキング機能を提供するよう動作するマイクロプロセッサ、コントローラ、又はその他の適切なコンピュータデバイス、リソース、あるいは、ハードウェア、ソフトウェア及び／又は符号化されたロジックの組み合わせであってよい。そのような機能は、ここで論じられる様々な無線機能を提供することを含んでよい。例えば、プロセッサ２１１は、如何にしてトランシーバをセット１２０に割り当てるべきかを決定してよい。少なくとも部分的にマイクロプロセッサ２１１によって提供される更なる例及び機能については、以下で論じる。
【００６４】
特定の実施形態において、プロセッサ２１１は、命令（例えば、コンピュータプログラムを構成するもの等）を実行するためのハードウェアを有してよい。一例として、限定ではなく、命令を実行するよう、プロセッサ２１１は、内部レジスタ、内部キャッシュ、メモリ２１３、又は記憶部２１５から命令を取り出し（フェッチし）、それらを復号化して実行し、次いで、１又はそれ以上の結果を内部レジスタ、内部キャッシュ、メモリ２１３又は記憶部２１５に書き込んでよい。
【００６５】
特定の実施形態において、プロセッサ２１１は、データ、命令又はアドレスのための１又はそれ以上の内部キャッシュを有してよい。本開示は、必要に応じて、あらゆる適切な数のあらゆる適切な内部キャッシュを有するプロセッサ２１１を考える。一例として、限定ではなく、プロセッサ２１１は、１又はそれ以上の命令キャッシュ、１又はそれ以上のデータキャッシュ、及び１又はそれ以上の変換索引バッファ（translation  lookaside  buffer）（ＴＬＢ）を有してよい。命令キャッシュにおける命令は、メモリ２１３又は記憶部２１５における命令の複製であってよく、命令キャッシュは、プロセッサ２１１によるそれらの命令の検索を高速化しうる。データキャッシュにおけるデータは、プロセッサ２１１で実行する命令が働くべきメモリ２１３又は記憶部２１５におけるデータの複製、プロセッサで実行するその後の命令によるアクセスのための、又はメモリ２１３若しくは記憶部２１５への書き込みのためのプロセッサ２１１で実行された前の命令の結果、あるいは、他の適切なデータであってよい。データキャッシュは、プロセッサ２１１による読み出し又は書込の動作を高速化しうる。ＴＬＢは、プロセッサ２１１のための仮想アドレス変換を高速化しうる。特定の実施形態において、プロセッサ２１１は、データ、命令又はアドレスのための１又はそれ以上の内部レジスタを有してよい。実施形態に依存して、プロセッサ２１１は、必要に応じて、あらゆる適切な数のあらゆる適切な内部レジスタを有してよい。必要に応じて、プロセッサ２１１は、１又はそれ以上の算術論理演算ユニット（arithmetic  logic  unit）（ＡＬＵ）を有しても、マルチコアプロセッサであっても、１又はそれ以上のプロセッサ２１１を有しても、あるいは、その他の適切なプロセッサであってもよい。
【００６６】
メモリ２１３は、磁気媒体、光学媒体、ランダムアクセスメモリ（ＲＡＭ）、読出専用メモリ（ＲＯＭ）、フラッシュメモリ、リムーバブル媒体、又はその他の適切な局所的な若しくは遠隔のメモリコンポーネントを含むがそれらに限られないあらゆる形態の揮発性又は不揮発性のメモリであってよい。特定の実施形態において、メモリ２１３は、ランダムアクセスメモリ（ＲＡＭ）を有してよい。このＲＡＭは、必要に応じて、揮発性メモリであってよい。必要に応じて。このＲＡＭは、動的ＲＡＭ（ＤＲＡＭ）又は静的ＲＡＭ（ＳＲＡＭ）であってよい。さらに、必要に応じて、このＲＡＭは、単一ポート若しくは複数ポートを持つＲＡＭ、又はその他の適切なタイプのＲＡＭ若しくはメモリであってよい。メモリ２１３は、必要に応じて、１又はそれ以上のメモリ２１３を有してよい。メモリ２１３は、コンピュータ読取可能な媒体に埋め込まれたソフトウェア、及び／又はハードウェアに組み込まれ若しくは別なふうに記憶される符号化されたロジック（例えば、ファームウェア）を含む、基地局１０８によって利用されるあらゆる適切なデータ又は情報を記憶してよい。特定の実施形態において、メモリ２１３は、プロセッサが実行すべき命令、又はプロセッサが働くべきデータを記憶するためのメインメモリを有してよい。特定の実施形態において、１又はそれ以上のメモリ管理ユニット（memory  management  unit）（ＭＭＵ）は、プロセッサ２１１とメモリ２１３との間に存在し、プロセッサ２１１によって要求されるメモリ２１３へのアクセスを助けてよい。
【００６７】
一例として、限定ではなく、基地局１０８は、記憶部２１５又は他のソース（例えば、他のコンピュータシステム、他の基地局、又は遠隔トランシーバ）からメモリ２１３へ命令をロードしてよい。次いで、プロセッサ２１１は、メモリ２１３から内部レジスタ又は内部キャッシュへ命令をロードしてよい。命令を実行するよう、プロセッサ２１１は、内部レジスタ又は内部キャッシュから命令を取り出し、それらを復号化してよい。命令の実行の間又は後に、プロセッサ２１１は、１又はそれ以上の結果（中間又は最終の結果であってよい。）を内部レジスタ又は内部キャッシュへ書き込んでよい。プロセッサ２１１は、それらの結果のうち１又はそれ以上をメモリ２１３に書き込んでよい。特定の実施形態において、プロセッサ２１１は、（記憶部２１５又は他の場所とは対照的に）１又はそれ以上のレジスタ又は内部キャッシュにおける、あるいはメモリ２１３における命令のみを実行してよく、（記憶部２１５又は他の場所とは対照的に）１又はそれ以上の内部レジスタ又は内部キャッシュにおける、あるいはメモリ２１３におけるデータにのみ働いてよい。
【００６８】
特定の実施形態において、記憶部２１５は、データ又は命令のための大容量記憶装置を有してよい。一例として、限定ではなく、記憶部２１５は、ハードディスクドライブ（ＨＤＤ）、フロッピー（登録商標）ディスクドライブ、フラッシュメモリ、光ディスク、光学磁気ディスク、磁気テープ、若しくはユニバーサルシリアルバス（ＵＳＢ）ドライブ、又はそれらの２若しくはそれ以上の組み合わせを有してよい。記憶部２１５は、必要に応じて、リムーバブル又は非リムーバブル（すなわち、固定式）媒体を有してよい。記憶部２１５は、必要に応じて、基地局１０８の内部又は外部にあってよい。特定の実施形態において、記憶部２１５は、不揮発性の固体状態メモリであってよい。特定の実施形態において、記憶部２１５は、読出専用メモリ（ＲＯＭ）であってよい。必要に応じて、このＲＯＭは、マスクプログラムドＲＯＭ、プログラム可能ＲＯＭ（ＰＲＯＭ）、消去可能ＰＲＯＭ（ＥＰＲＯＭ）、電気的消去可能ＰＲＯＭ（ＥＥＰＲＯＭ）、電気的消去再書込ＲＯＭ（ＥＡＲＯＭ）、若しくはフラッシュメモリ、又はそれらのうち２若しくはそれ以上の組み合わせを有してよい。記憶部２１５は、あらゆる適切な物理的形態をとってよく、あらゆる適切な数又はタイプの記憶部を有してよい。記憶部２１５は、必要に応じて、プロセッサ２１１と記憶部２１５との間の通信を助ける１又はそれ以上の記憶制御ユニットを有してよい。
【００６９】
特定の実施形態において、インターフェース２１７は、基地局１０８、遠隔トランシーバ１１２、エンドポイント１１０、あらゆるネットワーク、あらゆるネットワークデバイス、及び／又はあらゆる他のコンピュータシステムの間の通信（例えば、パケットに基づく通信）のための１又はそれ以上のインターフェースを提供するハードウェア、符号化されたソフトウェア又はそれら両方を有してよい。一例として、限定ではなく、通信インターフェース２１７は、イーサネット（登録商標）若しくは他の有線に基づくネットワーク及び／又は無線ＮＩＣ（ＷＮＩＣ）と通信するためのネットワークインターフェースコントローラ（ＮＩＣ）又はネットワークアダプタ、あるいは、無線ネットワークと通信するための無線アダプタを有してよい。
【００７０】
幾つかの実施形態において、インターフェース２１７は、１又はそれ以上の物理アンテナポート１１６に結合される１又はそれ以上のラジオを有する。そのような実施形態では、インターフェース２１７（及び／又は２２７）は、無線デバイス（例えば、エンドポイント１１０）へ無線接続を介して送信されるべきデジタルデータを受信する。ラジオは、デジタルデータを、適切な中心周波数、バンド幅パラメータ、及び伝送電力を有する無線信号に変換してよい。無線信号のための電力分配は、基地局１０８で決定されて各サブキャリアに適用されてよく、あるいは、電力分配は、基地局１０８で決定されて、遠隔トランシーバ１１２によって適用されてよい。同様に、ラジオは、１又はそれ以上の受信アンテナを介して受信した無線信号を、例えばプロセッサによって処理されるべきデジタルデータに変換してよい。
【００７１】
実施形態に依存して、インターフェース２１７は、分散型アンテナシステム２５０が使用されるあらゆるタイプのネットワークに適したあらゆるタイプのインターフェースであってよい。一例として、限定ではなく、分散型アンテナシステム２５０は、アドホック（ad-hoc）ネットワーク、パーソナルエリアネットワーク（ＰＡＮ）、ローカルエリアネットワーク（ＬＡＮ）、ワイドエリアネットワーク（ＷＡＮ）、メトロポリタンエリアネットワーク（ＭＡＮ）、又はインターネットの１若しくはそれ以上の部分、あるいは、それらのうち２又はそれ以上の組み合わせと通信してよい。それらのネットワークのうち１又はそれ以上の１又はそれ以上の部分は、有線又は無線であってよい。一例として、分散型アンテナシステム２５０は、無線ＰＡＮ（ＷＰＡＮ）（例えば、ブルートゥースＷＰＡＮ）、ワイファイ（ＷＩ−ＦＩ）ネットワーク、ワイマックス（ＷＩ−ＭＡＸ）ネットワーク、ＬＴＥネットワーク、ＬＴＥ−Ａネットワーク、携帯電話ネットワーク（例えば、ＧＳＭ(登録商標)（Global  System  for  Mobile  Communications）ネットワーク）、若しくはその他適切な無線ネットワーク、又はそれらのうち２若しくはそれ以上の組み合わせと通信してよい。基地局１０８は、必要に応じて、それらのネットワークのうちいずれか１つ又はそれ以上のためのあらゆる適切なインターフェース２１７を有してよい。
【００７２】
幾つかの実施形態において、インターフェース２１７は、１又はそれ以上のＩ／Ｏデバイスのための１又はそれ以上のインターフェースを有してよい。それらのＩ／Ｏデバイスのうち１又はそれ以上は、人と基地局１０８との間の通信を可能にすることができる。一例として、限定ではなく、Ｉ／Ｏデバイスは、キーボード、キーパッド、マイクロホン、モニタ、マウス、プリンタ、スキャナ、スピーカ、静止カメラ、スタイラス、タブレット、タッチスクリーン、トラックボール、ビデオカメラ、他の適切なＩ／Ｏデバイス、又はそれらのうち２若しくはそれ以上の組み合わせを有してよい。Ｉ／Ｏデバイスは、１又はそれ以上のセンサを有してよい。特定の実施形態は、あらゆる適切なタイプ及び／又は数のＩ／Ｏデバイス並びにそれらのためのあらゆる適切なタイプ及び／又は数のインターフェース２１７を有してよい。必要に応じて、インターフェース２１７は、プロセッサ２１１がそれらのＩ／Ｏデバイスのうち１又はそれ以上を駆動することを可能にする１又はそれ以上のドライバを有してよい。インターフェース２１７は、必要に応じて、１又はそれ以上のインターフェース２１７を有してよい。
【００７３】
バス２１２は、基地局１０８のコンポーネントを互いに結合するよう、ハードウェア、コンピュータ読取可能な媒体に埋め込まれたソフトウェア、及び／又はハードウェアに組み込まれ若しくは別なふうに記憶される符号化されたロジック（例えば、ファームウェア）のあらゆる組み合わせを有してよい。一例として、限定ではなく、バス２１２は、ＡＧＰ（Accelerated  Graphics  Port）若しくは他のグラフィックスバス、ＥＩＳＡ（Enhanced  Industry  Standard  Architecture）バス、フロントサイドバス（front-side  bus）（ＦＳＢ）、ハイパートランスポート（HYPERTRANSPORT）（ＨＴ）インターコネクト、ＩＳＡ（Industry  Standard  Architecture）バス、インフィニバンド（INFINIBAND）インターコネクト、ＬＰＣ（low-pin-count）バス、メモリバス、ＭＣＡ（Micro  Channel  Architecture）バス、ＰＣＩ（Peripheral  Component  Interconnect）バス、ＰＣＩエクスプレス（ＰＣＩ−Ｘ）バス、ＳＡＴＡ（serial  advanced  technology  attachment）バス、ＶＬＢ（Video  Electronics  Standards  Association  local）バス、又はその他適切なバス、あるいは、それらのうち２又はそれ以上の組み合わせを有してよい。バス２１２は、必要に応じて、あらゆる数、タイプ及び／又は構成のバス２１２を有してよい。特定の実施形態において、１又はそれ以上のバス２１２（夫々、アドレスバス及びデータバスを有してよい。）は、プロセッサ２１１をメモリ２１３へ結合してよい。バス２１２は、１又はそれ以上のバスを有してよい。
【００７４】
ここで、コンピュータ読取可能な記憶媒体との言及は、１又はそれ以上の有形のコンピュータ読取可能な記憶媒体処理構造を含む。一例として、限定ではなく、コンピュータ読取可能な記憶媒体は、必要に応じて、半導体に基づく若しくは他の集積回路（ＩＣ）（例えば、フィールドプログラマブルゲートアレイ（ＦＰＧＡ）若しくは特定用途向けＩＣ（ＡＳＩＣ））、ハードディスク、ＨＤＤ、ハイブリッド・ハードディスク（ＨＨＤ）、光ディスク、光ディスクドライブ（ＯＤＤ）、光学磁気ディスク、光学磁気ドライブ、フロッピーディスク（登録商標）、フロッピーディスク（登録商標）ドライブ、磁気テープ、ホログラフィック記憶媒体、固体状態ドライブ（ＳＳＤ）、ＲＡＭドライブ、セキュアデジタル（ＳＤ）カード、ＳＤドライブ、フラッシュメモリカード、フラッシュメモリドライブ、又はその他適切な有形のコンピュータ読取可能な記憶媒体、あるいはそれらのうち２又はそれ以上の組み合わせを有してよい。
【００７５】
特定の実施形態は、あらゆる適切な記憶装置を実施する１又はそれ以上のコンピュータ読取可能な記憶媒体を有してよい。特定の実施形態において、コンピュータ読取可能な記憶媒体は、必要に応じて、プロセッサ２１１の１又はそれ以上の部分（例えば、１又はそれ以上の内部レジスタ若しくはキャッシュ）、メモリ２１３の１又はそれ以上の部分、記憶部２１５の１又はそれ以上の部分、あるいは、それらの組み合わせを実施する。特定の実施形態において、コンピュータ読取可能な記憶媒体は、ＲＡＭ又はＲＯＭを実施する。特定の実施形態において、コンピュータ読取可能な記憶媒体は、揮発性の又は永続性のメモリを実施する。特定の実施形態において、１又はそれ以上のコンピュータ読取可能な記憶媒体は、符号化されたソフトウェアを組み入れる。
【００７６】
ここで、符号化されたソフトウェアとの言及は、必要に応じて、コンピュータ読取可能な記憶媒体に記憶されている又は埋め込まれている１又はそれ以上のアプリケーション、バイトコード、１又はそれ以上のコンピュータプログラム、１又はそれ以上の実行ファイル、１又はそれ以上の命令、ロジック、機械コード、１又はそれ以上のスクリプト、あるいは、ソースコードを含んでよく、また、その逆の場合も同じである。特定の実施形態において、符号化されたソフトウェアは、コンピュータ読取可能な記憶媒体において記憶される又は埋め込まれる１又はそれ以上のアプリケーションプログラミングインターフェース（ＡＰＩ）を有する。特定の実施形態は、あらゆる適切なタイプ又は数のコンピュータ読取可能な記憶媒体において記憶される又は埋め込まれるあらゆる適切なプログラミング言語又はプログラミング言語の組み合わせにおいて書かれる又は別なふうに表現されるあらゆる適切な符号化されたソフトウェアを使用してよい。特定の実施形態において、符号化されたソフトウェアは、ソースコード又はオブジェクトコードとして表現されてよい。特定の実施形態において、符号化されたソフトウェアは、高度なプログラミング言語（例えば、Ｃ、Ｐｅｒｌ、又はそれらの適切な拡張）において表現される。特定の実施形態において、符号化されたソフトウェアは、低度のプログラミング言語（例えば、アセンブリ言語（すなわち、機械コード））において表される。特定の実施形態において、符号化されたソフトウェアは、ＪＡＶＡ（登録商標）において表現される。特定の実施形態において、符号化されたソフトウェアは、ＨＭＴＬ（Hyper  Text  Markup  Language）、ＸＭＬ（Extensible  Markup  Language）、又は他の適切なマークアップ言語において表現される。
【００７７】
図７は、複数のセット１２０を有する分散型アンテナシステム（例えば、分散型アンテナシステム１００又は２００）を動作させる方法３００の例を表す。簡単のために、方法３００の表されるステップは、基地局１０８の立場から記載される。基地局１０８は、他の遠隔トランシーバを管理する他の基地局を有する分散型アンテナシステムの無線ネットワークシステムにおいて複数の遠隔トランシーバ１１２を管理することに関与する。
【００７８】
方法はステップ３０２から始まり、ステップ３０２で、基地局１０８と複数の遠隔トランシーバ２１２との間の接続が確立される。特定の実施形態において、それらの接続は、基地局１０８と各遠隔トランシーバ１１２との間の有線接続を有する。幾つかの実施形態では、基地局１０８と複数の遠隔トランシーバ１１２との間の接続は、ＣＰＲＩ接続を有する。実施形態に依存して、複数の遠隔トランシーバ１１２は、カスケード型トポロジ、スター型トポロジ、ツリー型トポロジ、リング型トポロジ、又は他の適切なトポロジにおいて配置される。
【００７９】
ステップ３０４において、トランシーバは、複数のセット１２０へ割り当てられる。割り当てられるトランシーバは、１又はそれ以上の遠隔トランシーバ１１２及び基地局１０８を含んでよい。各セット１２０は、１又はそれ以上のトランシーバを含んでよい。ステップ３０６において、１又はそれ以上の論理ポートが各セット１２０へ割り当てられる。各論理ポートは、その論理ポートと同じセットへ割り当てられるトランシーバの１又はそれ以上の物理アンテナポート１１６に対応してよい。論理ポートは、同じチャネル基準信号を送信する単一の物理アンテナポート１１６又は複数の物理アンテナポート１１６に対応してよい。
【００８０】
ステップ３０８において、チャネル基準信号は、各セット１２０の各論理ポートから送信される。すなわち、論理ポートのチャネル基準信号は、論理ポートが対応する１又はそれ以上の物理アンテナポート１１６によって送信される。チャネル基準信号は、指定される間隔で送信されてよく、特定のリソース（例えば、時間、周波数又はコード）を用いて送信されてよい。同じセット１２０の論理ポートによって送信されるチャネル基準信号は、同じリソースを使用してよく、一方、異なるセット１２０の論理ポートによって送信されるチャネル基準信号は、それらのセットが同じセル識別子と関連付けられる場合に、異なるリソースを使用してよい。ある実施形態では、異なるセル識別子と関連付けられる異なるセット１２０の論理ポートによって送信されるチャネル基準信号は、同じリソースを使用してよい。
【００８１】
ステップ３１０において、信号品質フィードバックは、エンドポイント１１０から受信される。エンドポイント１１０は、各セット１２０の論理ポートによって送信されるチャネル基準信号を測定し、各セットに特有の信号品質フィードバックを提供する。セット１２０に関する信号品質フィードバックは、そのセット１２０の論理ポートから受信されたチャネル基準信号の強さを示してよい。エンドポイント１１０は、信号品質フィードバックを基地局１０８へ送信する。特定の実施形態において、エンドポイント１１０は、エンドポイント１１０の主セルに関連するセット１２０の論理ポートからのチャネル基準信号のみを測定するよう構成される。
【００８２】
ステップ３１２において、エンドポイント１１０の位置が、信号品質フィードバックに基づき決定される。例えば、基地局１０８は、エンドポイント１１０が、特定のトランシーバ若しくはトランシーバのグループの近く、又は２若しくはそれ以上のトランシーバの間の境界近くにあることを決定してよい。ステップ３１４において、エンドポイント１１０は、複数のセット１２０のサブセットについて信号品質フィードバックを提供するよう指示される。例えば、エンドポイント１１０は、最良の信号品質フィードバックを有する２つのセットについて信号品質フィードバックを提供するよう指示されてよい。
【００８３】
ステップ３１６において、セットが、信号品質フィードバックに基づき、エンドポイント１１０との通信のために選択される。例えば、特定のセット１２０からのチャネル基準信号がエンドポイント１１０によって測定されたチャネル基準信号の中で最も強かった、と信号品質フィードバックが示す場合、その特定のセット１２０がエンドポイント１１０との通信のために選択されてよい。ステップ３１８において、データトラフィックは、選択されたセットの物理アンテナポート１１６を通してエンドポイント１０とやり取りされる。例えば、ＭＩＭＯスキームが、選択されたセットの物理アンテナポート１１６からＰＤＳＣＨＡを介してデータトラフィックを送信するために使用されてよい。
【００８４】
図７に表されるステップのうち幾つは、必要に応じて、結合、変更又は削除されてよく、また、更なるステップがフローチャートに加えられてよい。さらに、ステップは、特定の実施形態の適用範囲から逸脱することなしに、あらゆる適切な順序において実行されてよい。
【００８５】
様々な実施及び特徴が複数の実施形態に関して論じられるが、当然に、そのような実施及び特徴は様々な実施形態において組み合わされてよい。例えば、特定の図（例えば、図６）に関して論じられる特徴及び機能性は、動作上の必要性又は要望に応じて、他の図（例えば図１、３又は５）に関して論じられる特徴及び機能性と組み合わせて使用されてよい。
【００８６】
特定の実施形態の技術上の利点には、分散型アンテナシステムの所望の動作特性を達成するよう設定可能な配置のトランシーバを提供することがある。特定の実施形態の他の技術上の利点は、トランシーバのセットが、基地局とエンドポイントとの間の通信のために使用するよう複数のセットから選択され得ることである。特定の実施形態の他の技術上の利点は、トランシーバの物理アンテナポートによる送信間の相対的位相がカバレッジ又はスループットを最適化するよう変更され得ることである。他の技術上の利点は、図面、明細書及び特許請求の範囲から当業者に容易に認識されるであろう。さらに、具体的な利点が先に挙げられたが、様々な実施形態は、挙げられている利点の全て若しくは一部を有しても、又は全く有さなくてもよい。
【００８７】
特定の実施形態が詳細に記載されてきたが、当然に、様々な他の変更、置換及び代替が、特定の実施形態の意図及び適用範囲を逸脱することなしに、それらの実施形態にしてなされてよい。例えば、実施形態は、プロセッサ、メモリ、記憶部、インターフェース及びバス等の、基地局１０８内に含まれる多数の要素を参照して記載されてきたが、それらの要素は、特定の無線アーキテクチャ又はニーズに適応するために組み合わされ、再配置され、又は位置付けられてよい。さらに、それらの要素のうちいずれかは、必要に応じて、基地局１０８又は互いに対して別個の外部コンポーネントとして設けられてよい。特定の実施形態は、これらの要素及びそれらの内部コンポーネントの配置において高い柔軟性を企図する。
【００８８】
多数の他の変更、置換、変形、代替及び修正が当業者によって確認されてよく、特定の実施形態は、添付の特許請求の範囲の意図及び適用範囲内にあるようそのような変更、置換、変形、代替及び修正の全てを包含する。
【００８９】
以上の実施形態に関し、更に以下の付記を開示する。
【００９０】
（付記１）
複数の地域分散型遠隔トランシーバとの複数の有線接続を確立するよう構成されるインターフェースと、
前記インターフェースに結合されるプロセッサと
を有し、
前記複数の遠隔トランシーバの夫々の遠隔トランシーバは、１又はそれ以上の物理アンテナポートを有し、
前記プロセッサは、
前記複数の遠隔トランシーバを、該複数の遠隔トランシーバの１又はそれ以上を夫々有する複数のセットに割り当て、
夫々のセットの１又はそれ以上の遠隔トランシーバの夫々の少なくとも１つの物理アンテナポートに対応する前記複数のセットの夫々のセットに夫々割り当てられる１又はそれ以上の論理ポートを前記複数のセットの夫々のセットに割り当て、
前記複数のセットのうち少なくとも２つのセットの夫々のセットについての信号品質を示す信号品質フィードバックをエンドポイントから受け取り、
前記複数のセットから、前記エンドポイントから受け取った前記信号品質フィードバックに基づき、基地局から前記エンドポイントへデータトラフィックを送信するために使用する第１のセットを選択する
よう構成され、
前記インターフェースは、さらに、前記複数のセットのうち第１のセットの１又はそれ以上の遠隔トランシーバの夫々の少なくとも１つの物理アンテナポートと前記エンドポイントとの間の少なくとも１つの無線接続を用いて当該基地局から前記エンドポイントへデータトラフィックを送信するよう構成される、基地局。
【００９１】
（付記２）
前記プロセッサは、さらに、
前記エンドポイントから受け取った前記信号品質フィードバックに基づき前記エンドポイントの位置を決定し、
前記複数のセットのうち特定のサブセットに関して前記エンドポイントが信号品質フィードバックを供給することを要求するリクエストを送信する
よう構成される、付記１に記載の基地局。
【００９２】
（付記３）
前記プロセッサは、さらに、前記エンドポイントから受け取った前記信号品質フィードバックに基づきビームステアリングベクトルをチューニングするよう構成され、
前記ビームステアリングベクトルは、前記少なくとも１つの無線接続のカバレッジスループット又は前記第１のセットのカバレッジスループットのうち少なくとも１つを改善するようチューニングされる、
付記１に記載の基地局。
【００９３】
（付記４）
前記プロセッサは、さらに、前記複数の遠隔トランシーバを１又はそれ以上の異なるセットに再配置するよう構成される、
付記１に記載の基地局。
【００９４】
（付記５）
前記複数のセットのうち特定のセットの各物理アンテナポートは、前記複数のセットのうち他のセットの夫々によって使用される１又はそれ以上の無線信号に対して直交する無線信号を送信する、
付記１に記載の基地局。
【００９５】
（付記６）
基地局と、１又はそれ以上の物理アンテナポートを夫々有する複数の地域分散型遠隔トランシーバとの間の複数の有線接続を確立し、
複数のセットのうち少なくとも１つのセットが少なくとも２つの遠隔トランシーバを有するよう、前記複数の遠隔トランシーバを、該複数の遠隔トランシーバのうち１又はそれ以上を夫々有する複数のセットに割り当て、
夫々のセットの１又はそれ以上の遠隔トランシーバの夫々の少なくとも１つの物理アンテナポートに対応する前記複数のセットの夫々のセットに夫々割り当てられる１又はそれ以上の論理ポートを前記複数のセットの夫々のセットに割り当て、
前記複数のセットのうち第１のセットの１又はそれ以上の遠隔トランシーバの夫々の少なくとも１つの物理アンテナポートとエンドポイントとの間の少なくとも１つの無線接続を用いて前記基地局から前記エンドポイントへデータトラフィックを送信する
方法。
【００９６】
（付記７）
前記複数のセットのうち前記第１のセットに割り当てられる１又はそれ以上の論理ポートのうち少なくとも１つは、前記第１のセットの１又はそれ以上の遠隔トランシーバの各遠隔トランシーバの少なくとも１つの物理アンテナポートに対応する、
付記６に記載の方法。
【００９７】
（付記８）
さらに、
前記エンドポイントから信号品質フィードバックを受け取り、
前記基地局から前記エンドポイントへデータトラフィックを送信する前記第１のセットを、前記エンドポイントから受け取った前記信号品質フィードバックに基づき前記複数のセットから選択する
付記６に記載の方法。
【００９８】
（付記９）
さらに、
前記エンドポイントから受け取った前記信号品質フィードバックに基づき前記エンドポイントの位置を決定し、
前記複数のセットのうち特定のサブセットに関して前記エンドポイントが信号品質フィードバックを供給することを要求するリクエストを送信する
付記８に記載の方法。
【００９９】
（付記１０）
さらに、前記エンドポイントから受け取った前記信号品質フィードバックに基づきビームステアリングベクトルをチューニングし、
前記ビームステアリングベクトルは、前記少なくとも１つの無線接続のカバレッジスループット又は前記第１のセットのカバレッジスループットのうち少なくとも１つを改善するようチューニングされる、
付記８に記載の方法。
【０１００】
（付記１１）
前記複数のセットの各セットは、前記複数のセットのうち他のセットの夫々によって使用される無線信号に対して直交する無線信号を使用する、
付記６に記載の方法。
【０１０１】
（付記１２）
前記第１のセットによって使用される無線信号は、前記第１のセットの１又はそれ以上の論理ポートの各物理アンテナポートによって送信される、
付記１１に記載の方法。
【０１０２】
（付記１３）
前記基地局及び前記複数の遠隔トランシーバは、共通のセルにおいて置かれ、共通のセル識別子を共有する、
付記６に記載の方法。
【０１０３】
（付記１４）
さらに、前記複数の遠隔トランシーバを１又はそれ以上の異なるセットに再配置する、
付記６に記載の方法。
【０１０４】
（付記１５）
プロセッサによって実行される場合に、
基地局と、１又はそれ以上の物理アンテナポートを夫々有する複数の地域分散型遠隔トランシーバとの間の複数の有線接続を確立し、
前記複数の遠隔トランシーバを、該複数の遠隔トランシーバのうち１又はそれ以上を夫々有する複数のセットに割り当て、
夫々のセットの１又はそれ以上の遠隔トランシーバの夫々の少なくとも１つの物理アンテナポートに対応する前記複数のセットの夫々のセットに夫々割り当てられる１又はそれ以上の論理ポートを前記複数のセットの夫々のセットに割り当て、
前記複数のセットのうち第１のセットの１又はそれ以上の遠隔トランシーバの夫々の少なくとも１つの物理アンテナポートとエンドポイントとの間の少なくとも１つの無線接続を用いて前記基地局から前記エンドポイントへデータトラフィックを送信する
よう構成されるロジックを有する１又はそれ以上の持続性のコンピュータ読取可能な記憶媒体。
【０１０５】
（付記１６）
前記ロジックは、さらに、
前記エンドポイントから信号品質フィードバックを受け取り、
前記基地局から前記エンドポイントへデータトラフィックを送信するために使用する前記第１のセットを、前記エンドポイントから受け取った前記信号品質フィードバックに基づき前記複数のセットから選択する
よう構成される、付記１５に記載の記憶媒体。
【０１０６】
（付記１７）
前記ロジックは、さらに、
前記エンドポイントから受け取った前記信号品質フィードバックに基づき前記エンドポイントの位置を決定し、
前記複数のセットのうち特定のサブセットに関して前記エンドポイントが信号品質フィードバックを供給することを要求するリクエストを送信する
よう構成される、付記１５に記載の記憶媒体。
【０１０７】
（付記１８）
前記ロジックは、さらに、前記エンドポイントから受け取った前記信号品質フィードバックに基づきビームステアリングベクトルをチューニングするよう構成され、
前記ビームステアリングベクトルは、前記少なくとも１つの無線接続のカバレッジスループット又は前記第１のセットのカバレッジスループットのうち少なくとも１つを改善するようチューニングされる、
付記１５に記載の記憶媒体。
【０１０８】
（付記１９）
前記基地局及び前記複数の遠隔トランシーバは、同じセルに置かれ、共通のセル識別子を共有する、
付記１５に記載の記憶媒体。
【０１０９】
（付記２０）
前記ロジックは、さらに、前記複数の遠隔トランシーバを１又はそれ以上の異なるセットに再配置するよう構成される、
付記１５に記載の記憶媒体。
【符号の説明】
【０１１０】
１００，２００，２５０    分散型アンテナシステム
１０４                    セル
１０８                    基地局
１１０                    エンドポイント
１１１                    有線接続
１１２                    遠隔トランシーバ
１１４                    無線接続
１１６                    物理アンテナポート
１２０                    セット
２１１，２２１，２３１    プロセッサ
２１２，２２２，２３２    バス
２１３，２２３，２３３    メモリ
２１５，２２５，２３５    記憶部
２１７，２２７，２３７    インターフェース
【図１】
0005887990.tif 000002
【図２】
0005887990.tif 000003
【図３】
0005887990.tif 000004
【図４】
0005887990.tif 000005
【図５】
0005887990.tif 000006
【図６】
0005887990.tif 000007
【図７】
0005887990.tif 000008